(57)【要約】【課題】バッテリーのロックを自動的に解除する電子機器を提供する。【解決手段】ユーザーがバッテリー装填蓋１０をオープンすると、蓋オープン検知用突起４４が蓋オープン検知スイッチ４０に設けられている突起部４０ａと接触しなくなり、蓋オープン検知回路４２を介して、ＣＰＵ３８に信号を発する。ＣＰＵ３８は、蓋オープン検知スイッチ４０からの信号を受け取ると、一定時間が経過した後、通電回路３６を介して形状記憶合金ワイヤー３４に通電を行う。形状記憶合金ワイヤー３４は、通電回路３６から電流が流れ込むと発熱により収縮し、バッテリーロック爪２４を引っ張ってバッテリーパック１２の反対側に回転動作させ、バッテリーパック１２のロックを解除する。【選択図】        図３
2004199996.tif 000002
【特許請求の範囲】
【請求項１】
バッテリーが開口部を通して電子機器本体内に所定量挿入されたときにバッテリーを適正な装填位置に受容して保持するバッテリー保持手段と、前記開口部を開閉自在に覆う装填蓋とを備えた電子機器において、
前記バッテリー保持手段が、前記バッテリーが保持されるロック位置と前記バッテリーの保持が解除されるロック解除位置との間で揺動自在なロック爪と、前記ロック爪を常時ロック位置側に付勢するばねと、前記ロック爪と連結され通電時に収縮して前記ロック爪をロック位置からロック解除位置に揺動させる形状記憶合金部材とからなることを特徴とする電子機器。
【請求項２】
前記バッテリー保持手段は、前記形状記憶合金部材に通電するための通電回路と、前記装填蓋が開き位置にあることを検知する蓋オープン検知手段と、前記蓋オープン検知手段からの検知信号を受信してから一定時間後に前記通電回路を介して形状記憶合金部材への通電を行う制御手段とを含むことを特徴とする請求項１記載の電子機器。
【発明の詳細な説明】
【０００１】
【発明の属する技術分野】
本発明はバッテリーによって駆動される電子機器に関するものであり、詳しくは、バッテリーを電子機器本体内にロックする機構を有する電子機器に関するものである。
【０００２】
【従来の技術】
デジタルカメラなど、携帯用として用いられる電子機器では、着脱可能なバッテリーパックなどのバッテリーを電子機器本体に装填し、バッテリー電源によって電力が供給されるのが一般的である。
【０００３】
このような電子機器では、バッテリーと電子機器本体とが適正位置で電気的に接続されるよう、バッテリーを電子機器本体内にロックする構造が一般的に用いられている。例えば特許文献１では、バッテリーパックに切り欠き部を設け、電子機器本体側に設けられた固定用爪がバッテリーパックの切り欠き部に係止し、この固定用爪をばねで付勢することによりバッテリーパックのロックが行われている。
【０００４】
【特許文献１】
特開平８−９６７８３号公報
【０００５】
【発明が解決しようとする課題】
しかしながら、特許文献１の電子機器では、バッテリーパックを電子機器本体内から取り出す際、装填蓋を開けた後にユーザーが手動でロック解除を行う必要があり、操作の煩雑化を招いていた。
【０００６】
本発明は上記問題点を考慮してなされたものであり、バッテリーを電子機器本体内から取り出す際に、バッテリーのロックを自動的に解除する電子機器を提供することを目的とする。
【０００７】
【課題を解決するための手段】
上記目的を達成するために、本発明の電子機器は、バッテリーが開口部を通して電子機器本体内に所定量挿入されたときにバッテリーを適正な装填位置に受容して保持するバッテリー保持手段と、前記開口部を開閉自在に覆う装填蓋とを備え、前記バッテリー保持手段が、前記バッテリーが保持されるロック位置と前記バッテリーの保持が解除されるロック解除位置との間で揺動自在なロック爪と、前記ロック爪を常時ロック位置側に付勢するばねと、前記ロック爪と連結され通電時に収縮して前記ロック爪をロック位置からロック解除位置に揺動させる形状記憶合金部材とからなることを特徴とする。
【０００８】
また、前記バッテリー保持手段は、前記形状記憶合金部材に通電するための通電回路と、前記装填蓋が開き位置にあることを検知する蓋オープン検知手段と、前記蓋オープン検知手段からの検知信号を受信してから一定時間後に前記通電回路を介して形状記憶合金部材への通電を行う制御手段とを含むことが好ましい。
【０００９】
【発明の実施の形態】
図１は、本発明を適用したデジタルカメラの外観を示す斜視図である。デジタルカメラ２の本体３の前面には、撮影レンズ６とレンズバリア７とが組み込まれたレンズ鏡筒５、ファインダ８、ストロボ発光部４が設けられている。本体３の上面には、レリーズボタン９が設けられている。なお、本体３の背面側には、図示しない電源スイッチや画像表示用のＬＣＤパネルなどが設けられている。
【００１０】
本体３の底面には、バッテリー装填蓋１０が、バッテリーパック１２を開放する開き位置と、バッテリーパック１２を覆う閉じ位置との間で開閉自在に取り付けられている。バッテリーパック１２が本体３内に挿入され、バッテリーパック１２に備えられている接点１３が本体３内で後述するバッテリー回路に備えられた金属接片と接触する適正位置まで装填されると同時に、後述するバッテリーロック爪によってロックされる。
【００１１】
図２は、バッテリーパックのロック状態を示す断面図である。バッテリー装填蓋１０はヒンジ板１４にスライド移動可能に取り付けられており、ヒンジ板１４の先端部がヒンジ軸１６によって回動自在に支持されている。また、ヒンジ板１４はヒンジ軸１６に取り付けられたコイルばね１８によって開放方向にばね付勢されている。
【００１２】
また、バッテリー装填蓋１０には、閉じ位置にあるバッテリー装填蓋１０が開放されないように本体３にロックするための蓋ロック突起部２０が設けられており、バッテリー装填蓋１０の図中矢印方向へのスライド動作によって蓋ロック突起部２０が本体３の開口２２に嵌まり込むことによりバッテリー装填蓋１０のロックが行われる。これにより、不意にバッテリー装填蓋１０が開いてしまうような事故を防止することができる。
【００１３】
本体３にはバッテリーロック爪２４が設けられている。バッテリーロック爪２４は回転軸２６によって回動自在に支持されている。また、バッテリーロック爪２４は回転軸２６に取り付けられたコイルばね２８によってバッテリーパック１２側に常時ばね付勢されている。
【００１４】
バッテリーロック爪２４にはテーパー部３０が設けられており、バッテリーパック１２を、本体３の外側に押し出す方向に付勢するばね３１に抗して本体３内に押し込んでいくと、テーパー部３０がバッテリーパック１２と接触することによりバッテリーロック爪２４がバッテリーパック１２の反対側に退避する。バッテリーパック１２が本体３内に適正位置まで装填されると、テーパー部３０とバッテリーパック１２との接触がなくなるため、コイルばね２８のバッテリーパック１２側への付勢によってバッテリーロック爪２４はバッテリーパック１２をロックする。このとき、バッテリーパック１２に備えられた接点１３がバッテリー回路３２に設けられた金属接片３３と接触し、バッテリーパック１２からバッテリー回路３２への通電が可能になる。
【００１５】
バッテリーロック爪２４にはさらに形状記憶合金ワイヤー３４の一端側が接続されており、形状記憶合金ワイヤー３４の他端側は通電回路３６に接続されている。形状記憶合金ワイヤー３４は、ＣＰＵ３８からの指示により通電回路３６から電流が流れ込むと発熱により収縮するようになっており、通電時には収縮してバッテリーロック爪２４を引っ張ってバッテリーパック１２の反対側に回転動作させ、バッテリーパック１２のロックを解除する。
【００１６】
また、本体３にはバッテリー装填蓋１０がオープンされたことを検知するための蓋オープン検知スイッチ４０が設けられている。蓋オープン検知スイッチ４０は、バッテリー装填蓋１０がオープンされ、バッテリー装填蓋１０に備えられた蓋オープン検知用突起４４が蓋オープン検知スイッチ４０に設けられている突起部４０ａと接触しなくなると、蓋オープン検知回路４２を介して、ＣＰＵ３８に信号を発するように構成されている。
【００１７】
図３は、バッテリーパックのロック解除状態を示す断面図である。ユーザーがバッテリー装填蓋１０をオープンすると、蓋オープン検知用突起４４が蓋オープン検知スイッチ４０に設けられている突起部４０ａと接触しなくなり、蓋オープン検知回路４２を介して、ＣＰＵ３８に信号を発する。
【００１８】
ＣＰＵ３８は、蓋オープン検知スイッチ４０からの信号を受け取ると、一定時間が経過した後、通電回路３６を介して形状記憶合金ワイヤー３４に通電を行う。形状記憶合金ワイヤー３４は、通電回路３６から電流が流れ込むと発熱により収縮し、バッテリーロック爪２４を引っ張ってバッテリーパック１２の反対側に回転動作させ、バッテリーパック１２のロックを解除する。バッテリーパック１２のロックが解除されると、バッテリーパック１２がばね３１の付勢によって本体３内から飛び出す。ＣＰＵ３８により、蓋オープン検知スイッチ４０からの信号を受け取ってから一定時間後に形状記憶合金ワイヤー３４に通電を行うように構成したため、バッテリー装填蓋１０のオープン動作が完了する前にバッテリーパック１２が本体３内から飛び出すといった不具合を防止することができる。
【００１９】
なお、バッテリーパック１２が本体３内から飛び出すと、バッテリーパック１２に備えられた接点１３とバッテリー回路３２に設けられた金属接片３３との接触が解除され、バッテリーパック１２からバッテリー回路３２への通電が行われなくなる。このため、形状記憶合金ワイヤー３４への通電が終了し、形状記憶合金ワイヤー３４の収縮が終了して再びもとの長さに戻るため、再度バッテリーパック１２を本体３に適正位置まで装填すれば再びバッテリーパック１２のロックが行われる。
【００２０】
なお、上記実施形態においては、本発明を実施した電子機器としてデジタルカメラを例に挙げて説明しているが、本発明はこれに限定されるものではなく、例えば、携帯電話、ノート型パーソナルコンピュータ、ＰＤＡなどの情報端末、携帯用音楽再生装置など、バッテリー駆動される電子機器であればよい。
【００２１】
【発明の効果】
以上説明したように、本発明の電子機器によれば、バッテリー保持手段を、バッテリーが保持されるロック位置とバッテリーの保持が解除されるロック解除位置との間で揺動自在なロック爪と、ロック爪を常時ロック位置側に付勢するばねと、ロック爪と連結され通電時に収縮してロック爪をロック位置からロック解除位置に揺動させる形状記憶合金部材とから構成したので、バッテリーを電子機器本体内から取り出す際に、バッテリーのロックを自動的に解除することができ、バッテリーパックを電子機器本体内から取り出す際のユーザーの動作を簡略化することができる。
【００２２】
また、バッテリー保持手段が、形状記憶合金部材に通電するための通電回路と、装填蓋が開き位置にあることを検知する蓋オープン検知手段と、蓋オープン検知手段からの検知信号を受信してから一定時間後に通電回路を介して形状記憶合金部材への通電を行う制御手段とを含むため、装填蓋のオープン動作が完了する前にバッテリーが電子機器本体内から飛び出すといった不具合を防止することができる。
【図面の簡単な説明】
【図１】本発明を適用したデジタルカメラの外観を示す斜視図である。
【図２】バッテリーパックのロック状態を示す断面図である。
【図３】バッテリーパックのロック解除状態を示す断面図である。
【符号の説明】
２  デジタルカメラ
３  本体
１０  バッテリー装填蓋
１２  バッテリーパック
２４  バッテリーロック爪
３４  形状記憶合金ワイヤー
３６  通電回路
３８  ＣＰＵ
４０  蓋オープン検知スイッチ
【図１】
2004199996.tif 000003
【図２】
2004199996.tif 000004
【図３】
2004199996.tif 000005